(57)【要約】【課題】外部からの光を導いて面発光する機能を付与し、開口部や反射鏡等を設ける必要性を無くして間接的な照明を実現できる照明パネルユニットを提供すること。【解決手段】面発光可能なパネル本体１１と、当該パネル本体１１の端部及び又は面内に配置された発光ダイオード１２とを備えている。パネル本体１１は所定の全光線透過率を備えた樹脂に光拡散物質を添加して成形されており、発光ダイオード１２の光をパネル面内に導光して当該パネル面を発光させて間接照明を行うようになっている。【選択図】図１
2007242508.tif 000002
【特許請求の範囲】
【請求項１】
面発光可能なパネル本体と、当該パネル本体の端部及び又は面内に配置された光源とを備えたことを特徴とする照明パネルユニット。
【請求項２】
前記パネル本体は所定の全光線透過率を備えた樹脂に光拡散物質を添加して成形されていることを特徴とする請求項１記載の照明パネルユニット。
【請求項３】
前記光源は発光ダイオードであり、当該発光ダイオードが配置されたパネル本体の近傍領域が面発光することを特徴とする請求項１又は２記載の照明パネルユニット。
【発明の詳細な説明】
【技術分野】
【０００１】
本発明は照明パネルユニットに係り、特に、壁面や天井等のパネルとして利用されて間接的に照明を行うことのできる機能を備えた照明パネルユニットに関する。
【背景技術】
【０００２】
従来より、室内の間接照明を行う場合には、光源と室内との間に遮蔽板等を配置し、これにより、光源からの光が人の目に直接入らないようにすることが行われている。このような間接照明は、穏やかな明るさをもたらすとともに、明暗コントラストの表現により装飾的にも優れ、建物内の様々な箇所に導入されている。
【０００３】
間接的な照明を行うことのできるパネルユニットとしては、例えば、特許文献１に開示されている。同文献は、二枚の板材を含む建築用パネルと、前記板材間に配置された光源とを含み、前記建築用パネルは、光源からの光を通過させるための開口部と、光源からの光が人の目に直接入らないようにする遮蔽部とを備えて構成されている。
【０００４】
【特許文献１】特開平８−９６６２０号公報
【発明の開示】
【発明が解決しようとする課題】
【０００５】
しかしながら、特許文献１に記載された建築用パネルは、開口部を通じて光が漏れるようにした間接照明であり、パネル自体が穏やかな明るさをもって発光する構造ではない。そのため、開口部の開口面積が照明エリアとなり、これが小さいと間接照明としての機能を十分に発揮させることができない。つまり、特許文献１の建築用パネルは、その室内側となるパネル面に採光に十分な開口部を設けることが必須の構造となり、これが部分的な強度低下をもたらす、等といった不都合がある。しかも、光を室内側に導入するための反射鏡を採用するなど、構造的にも複雑になる、という不利がある。
【０００６】
［発明の目的］
本発明は、このような不都合に着目して案出されたものであり、その目的は、光を平面内に導いて面発光する機能を付与し、開口部や反射鏡等を設ける必要性を無くして間接的な照明を実現できる照明パネルユニットを提供することにある。
また、本発明の他の目的は、メンテナンスフリーとすることのできる照明パネルユニットを提供することにある。
【課題を解決するための手段】
【０００７】
前記目的を達成するため、本発明に係る照明パネルユニットは、面発光可能なパネル本体と、当該パネル本体の端部及び又は面内に配置された光源とを備える、という構成を採っている。
【０００８】
本発明において、前記パネル本体は所定の全光線透過率を備えた樹脂に光拡散物質を添加して成形することができる。
【０００９】
また、前記光源は発光ダイオードであり、当該発光ダイオードが配置されたパネル本体の近傍領域が面発光するように設けることが好ましい。
【００１０】
本発明における照明パネルユニットは、壁面材として適用することができる他、天井材、床材、或いは、システムキッチンや洗面化粧台、家具、ガーデニング用壁材等、種々の範囲に適用することができる。
【００１１】
前記パネル本体は樹脂成形品により一体的に構成することができる。この樹脂は、例えば、ＪＩＳ  Ｋ７３６１  測定機器：濁度計ＮＤＨ２０００（日本電色工業株式会社製）で測定された全光線透過率８０％以上の樹脂であり、当該樹脂は、紫外線吸収剤、希釈モノマー・オリゴマー、硬化剤、促進剤、重合禁止剤等の添加剤を混合した樹脂を含む。この樹脂は、アクリル（ＰＭＭＡ）、メチルメタクリレートスチレン（ＭＳ）、ポリカーボネイト（ＰＣ）、ポリオレフィン（ＰＯ）、アクリロニトリルブタジエンスチレン（ＡＢＳ）等の熱可塑性樹脂、或いは、ポリエステル、アクリル、エポキシ等の熱硬化性樹脂を用いることができる。なお、全光線透過率が８０％未満では、光拡散効果が十分でなく、期待する面発光が得られない。
【００１２】
光拡散物質は、前記樹脂と屈折率が近似した球状粒子、例えば、樹脂ビーズ、ガラス等無機ビーズを例示することができる。また、合成若しくは天然の着色マイカ、無着色マイカ、前記樹脂の固形粉砕品であるフリット、前記樹脂ビーズ、ガラス等無機ビーズの粒子入り樹脂固形粉砕品であるフリットの他、金属粉、金属蒸着及びホログラム処理された粒子、樹脂フィルム粉砕品等を用いることが好ましい。
【００１３】
前記パネル本体は、光拡散物質粒子が面方向及び厚み方向に略均一に分散した状態で成形される場合の他、材料の比重の差を利用して厚み方向に偏在して実質的な複層化を図ることができる。このパネル本体の板厚は、２〜２０ｍｍ、縦横寸法が２０００×１２００ｍｍ程度のものが例示できる。
【００１４】
なお、パネル本体の表面に凹凸形状を設けることもでき、この場合には、成形型に凹凸形状（微細な艶消し凹凸形状を含む）を施し、その凹凸を成形時に転写させることによって設けることができる。また、マットフィルム（艶消し剤混入による艶消し及び物理的艶消し）をパネル本体の表面側に積層して凹凸形状を付与することも可能である。
【００１５】
また、光源は、単色の発光ダイオードを点灯させてパネル本体を面発光させる他、色違いの発光ダイオードを用いて各種の色がパネル本体の面を通じて表出させるようにすることもできる。発光ダイオードは、パネル本体に隠れた位置に配置されることで、間接的な照明を行うようになる。
【発明の効果】
【００１６】
本発明によれば、例えば、パネル本体の端部に配置された光源から照射される光は、パネル本体の面内に導かれて面発光する間接照明となる。また、パネル本体は、成形型により成形することができるものであるため、量産適性を備え製造コストも低廉なものとすることができる。
【発明を実施するための最良の形態】
【００１７】
以下、本発明の好ましい実施の形態について、図面を参照しながら説明する。
【００１８】
［第１実施例］
図１（Ａ）には、本実施形態に係る照明パネルユニットの概略正面図が示され、図１（Ｂ）には、そのＡ−Ａ線矢視断面図が示されている。これらの図において、照明パネルユニット１０は、平面形状が略方形をなすパネル本体１１と、このパネル本体１１の上端部に配置された光源としての発光ダイオード１２と、前記パネル本体１１の裏面（図１（Ｂ）中右側面）側に図示しない隠蔽層を介して順次配置された断熱層１４及びバックパネル１５とを備えて構成されている。パネル本体１１の裏面側には、その外周に沿って切欠部１７が形成されており、当該切欠部１７内に枠部材１８がパネル本体１１の外周に沿って配置されている。
【００１９】
前記発光ダイオード１２は、本実施例では複数個用いられており、各発光ダイオードを図示しない電源に電気的に接続するベース１９は、前記パネル本体１１の上縁に沿う切欠部１７内に配置されている。
【００２０】
前記パネル本体１１は、全光線透過率が８０％以上の熱硬化ポリエステルを用い、光拡散物質として、粒径６μｍ又は１２μｍの球状架橋ポリスチレンの粒子を用いて型成形されている。光拡散物質の添加量は、０．５〜５％であり、表面には、鏡面加工が施されている。なお、パネル本体１１の厚みは、１０ｍｍであり、縦横寸法は、１０００ｍｍ×１０００ｍｍである。また、照明パネルユニット１０全体としての厚みは１５ｍｍである。
【００２１】
以上の照明パネルユニット１０において、発光ダイオード１２を点灯させることにより、図１（Ａ）斜線で示した領域ａのパネル面領域が特に発光して間接照明を表出することができる。この際、パネル本体１１の面において、発光ダイオード１２に近い領域から遠くなる領域に向かって次第に明度が低下するような明るさとなる。
【００２２】
なお、前記発光ダイオード１２の点灯を行わずに、室内照明を点灯させた場合には、照明パネルユニット１０全体が発光面となり、また、発光ダイオード１２の点灯と室内照明による点灯を併せて行った場合には、照明パネルユニット１０全体が発光すると同時に、発光ダイオード１２の周辺領域が相対的に明度を強めたコントラストを表出することとなる。
【００２３】
［第２実施例］
次に、本発明の第２実施例について説明する。なお、以下の説明において、前記第１実施例と同一若しくは同等の構成部分については同一符号を用いるものとし、説明を省略若しくは簡略にする。
【００２４】
この第２実施例は、発光ダイオード１２の配置を変更したところに特徴を有する。すなわち、図２に示されるように、パネル本体１１の裏面中央部に略円形の切欠部２０を形成し、当該切欠部２０内に、複数の発光ダイオード１２が放射方向に向かって配列されるようにこれら発光ダイオードをベース１９に支持させたものである。
【００２５】
このような実施例によれば、図２（Ａ）中、斜線で示した領域ｂが発光領域として間接照明を行うこととなる。この場合においても、中央から離れるに従って明度が次第に低くなる明るさとなる。
【００２６】
以上説明したように、本発明によれば、簡易な構成により、間接照明機能を備えた照明パネルユニットを提供することができ、従来にない、斬新な建築用内装材として特に適用することが可能となる。
【００２７】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した寸法、厚みなどは、本発明の理解を容易にするために例示的に記載したものであり、本発明を限定するものではない。
【００２８】
例えば、前記各実施例は、それらの構成を組み合わせて面発光するように設けることも可能である。要するに、本発明は、光を板面内に導光して間接照明としての新たな機能を付与することができるものであれば足りる。
【図面の簡単な説明】
【００２９】
【図１】（Ａ）は第１実施例における間接照明パネルユニットの概略正面図、（Ｂ）は図１（Ａ）のＡ−Ａ線矢視断面図。
【図２】（Ａ）は第２実施例における間接照明パネルユニットの概略正面図、（Ｂ）は図２（Ａ）のＢ−Ｂ線矢視断面図。
【符号の説明】
【００３０】
１０…間接照明パネルユニット、１１…パネル本体、１２…発光ダイオード（光源）
【図１】
2007242508.tif 000003
【図２】
2007242508.tif 000004